(57)【要約】      （修正有）【課題】クラウド決済により遠隔から支払い可能な駐車場支払いシステムを提供する。【解決手段】運転者５が駐車場１に対して予約及び決済の駐車作業を行い、車両が駐車場の駐車スペースに進入すると、駐車スペースに配置されている駐車場ロック１１が異なる状態に変化し、駐車スペースを駐車状態または駐車可能状態にし、運転者がクラウド決済または駐車場の支払機２０を利用した決済を行う駐車場支払いシステムであって、駐車場ロックからの信号を受信する駐車場ロックコントローラー３０と、運転者の電子情報デバイス６からの決済動作を受信し、各決済を記録してクラウド領収書を形成し、且つクラウド決済メッセージを外部に向けて伝送するクラウドデバイス４０と、クラウドデバイスが伝送したクラウド決済メッセージ及び駐車場ロックコントローラーからの信号を受信するメインボード５０と、を備える。【選択図】図１
0003231081.tif 000002
【実用新案登録請求の範囲】
【請求項１】
運転者が少なくとも１つの駐車スペースを有する駐車場に対し予約及び決済を行い、各前記駐車スペースに駐車場ロックを配置し、車両が前記駐車場の駐車スペースに進入すると、前記駐車スペースの駐車場ロックが異なる状態に変化し、前記駐車スペースを駐車状態または駐車可能状態にし、前記運転者の決済はクラウド決済または前記駐車場の支払機を利用した決済であるクラウド決済機能を有する駐車場支払いシステムであって、
対応する前記駐車場ロックに各々接続し、前記駐車場ロックからの信号を受信し、外部に向けて伝送し、車両が対応する前記駐車スペースに駐車しているか、或いは前記駐車スペースから離れたかを確定するために必要な判断を行う少なくとも１つの駐車場ロックコントローラーと、
クラウド決済及び運転者が駐車スペースに対して電子情報デバイスで伝送する予約メッセージを処理し、且つクラウド決済メッセージを外部に向けて伝送し、前記駐車場の駐車スペースの空き状態を前記運転者の電子情報デバイスに伝送し、運転者が空き駐車スペースに対して予約を行えるようにし、前記運転者の電子情報デバイスからの決済動作を受信し、且つ各決済を記録してクラウド領収書を生成し、前記クラウド領収書には支払機決済が完了した車両を記録するクラウドデバイスと、
少なくとも１つの前記駐車場ロックコントローラーに接続し、且つ前記クラウドデバイスに信号を伝送し、前記クラウドデバイスが伝送したメッセージを受信し、前記駐車場ロックコントローラーからの信号を受信し、前記車両が前記駐車スペースに駐車しているか前記駐車スペースから離れたかを理解するメインボードと、
を備えることを特徴とする駐車場支払いシステム。
【請求項２】
前記メインボードにも前記車両が前記駐車スペースに駐車している時間及び前記駐車スペースから離れた時間を記録していることを特徴とする請求項１に記載の駐車場支払いシステム。
【請求項３】
前記クラウドデバイスは運転者が駐車状況及び決済を照会可能にするために前記車両の駐車メッセージを遠隔にいる運転者に伝送する電子情報デバイスであることを特徴とする請求項１に記載の駐車場支払いシステム。
【請求項４】
前記メインボードは前記支払機にさらに接続し、車両が前記駐車スペースから離れたか否かのメッセージを伝送し、且つ前記支払機は前記メインボードから伝送された車両が支払機決済を完了して離れたというメッセージを受信し、
前記メインボードが前記クラウドデバイスからの前記駐車スペースのクラウド決済メッセージを受信した場合、対応する前記駐車場ロックコントローラーに通知し、対応する前記駐車場ロックを下降させて車両が前記駐車スペースから離れられる状態にし、車両が前記駐車スペースから離れた後、前記駐車場ロックコントローラーが前記車両が離れたという信号を前記メインボードに伝送し、前記メインボードが前記支払機に通知し、車両が支払機決済を完了して離れたことを告知し、且つ前記メインボードも前記駐車場ロックコントローラーに通知し、前記駐車場ロックが車両の駐車を受け付け可能な状態にし、前記支払機が前記メインボードから車両が支払機決済を完了して離れたことを受信すると、前記支払機が車両が離れたというメッセージを前記支払機の請求書に記録し、これにより前記支払機の請求書に支払機決済を完了したという現場支払いメッセージを形成し、
車両が支払機決済をせずに前記駐車スペースから自ら離れた場合、前記クラウドデバイス及び前記メインボードはいかなる作業も行わず、この際に前記駐車場ロックコントローラーが前記支払機に信号を伝送し、この信号は前記メインボードを直接通過するか前記メインボードを迂回するかし、前記支払機が支払機決済をせずに車両が離れたというメッセージを前記支払機の請求書に記録し、前記車両が支払機決済をしていないため、前記支払機の請求書に未払いメッセージを形成し、且つ前記支払機が前記駐車場ロックコントローラーに信号を伝送し、この信号は前記メインボードを直接通過するか前記メインボードを迂回するかし、前記駐車場ロックを他の車両の駐車を受け付ける状態にし、
これによって、前記支払機の請求書がクラウド決済を完了したという１つまたは複数の現場支払いメッセージ、及び１つまたは複数の未払いメッセージを同時に含むことを特徴とする請求項１に記載の駐車場支払いシステム。
【請求項５】
前記メインボードは前記支払機にさらに接続し、前記支払機は前記メインボードから伝送される車両が離れたというメッセージのみを受信可能であり、前記支払機は前記車両が支払機決済を完了して離れたか否かを認知することはできず、前記メインボードが前記支払機に通知し、車両が離れたことを告知すると、前記支払機が車両が離れたというメッセージを支払機の請求書に記録し、且つ前記支払機の請求書に未払いメッセージを形成し、車両が支払機決済をせずに前記駐車スペースから自ら離れた場合、前記クラウドデバイス及び前記メインボードはいかなる作業も行わず、この際前記駐車場ロックコントローラーが前記支払機に信号を伝送し、この信号は前記メインボードを直接通過するか前記メインボードを迂回するかし、前記支払機が車両が離れたというメッセージを支払機の請求書に記録し、且つ前記支払機の請求書に未払いメッセージを形成し、前記支払機の請求書は車両が支払機決済をせずに前記駐車スペースから離れたという未払いメッセージ、及びクラウド決済を完了したという未払いメッセージを同時に含み、前記クラウド領収書及び前記支払機の請求書の記録を比較することで、前記クラウド決済を完了したという未払いメッセージを抽出して削除するフィルタリング作業を行うことを特徴とする請求項１に記載の駐車場支払いシステム。
【請求項６】
前記メインボードが対応する前記駐車場ロックコントローラーに通知し、対応する前記駐車場ロックを下降させて車両が前記駐車スペースから離れられる状態にすると、前記支払機も前記駐車場ロックコントローラーにより前記駐車場ロックの状態の変化を認識し、この際前記支払機が信号を伝送して前記駐車場ロックを車両が前記駐車スペースから離れられない状態に回復させ、前記メインボードが引き続き対応する前記駐車場ロックコントローラーに通知し、対応する前記駐車場ロックを下降させて車両が前記駐車スペースから離れられる状態にし、これにより前記支払機の制御命令を代替し、前記支払機は前記駐車場ロックを自動的に重複して上昇させて車両が前記駐車スペースから離れられない状態に回復させることは不可能なため、この際前記支払機はこの状況を異常と見做して記録し、前記支払機は前記駐車場ロックコントローラーの信号によってのみ車両が離れたことを認知し、これにより支払機の請求書に車両が支払機決済をせずに前記駐車スペースから離れたという未払いメッセージ、及びクラウド決済を完了したという未払いメッセージを形成し、前記クラウド領収書及び前記支払機の請求書の記録を比較することで、クラウド決済を完了したという未払いメッセージを抽出して削除するフィルタリング作業を行い、実際の支払い状況を認識することを特徴とする請求項１に記載の駐車場支払いシステム。
【請求項７】
前記クラウドデバイスに接続する少なくとも１つの外部メーカー設備をさらに備え、外部メーカーは前記外部メーカー設備を経由して前記クラウドデバイスに接続することを特徴とする請求項１に記載の駐車場支払いシステム。
【請求項８】
前記支払機は駐車場管理設備に接続し、駐車場管理者が前記支払機の各種状態を監視可能にし、前記クラウドデバイスは前記駐車場管理設備にさらに接続していることを特徴とする請求項４、或いは５、或いは６に記載の駐車場支払いシステム。
【請求項９】
前記駐車場ロックは事前予約型駐車スペースの駐車場ロックであり、前記駐車スペースが予約された場合、前記駐車場ロックが予約者以外は進入できないようにあらかじめ上昇して前記駐車スペースを確保することを特徴とする請求項１に記載の駐車場支払いシステム。
【請求項１０】
前記駐車場ロックは後払い式駐車スペースの駐車場ロックであり、前記駐車スペースに駐車している車両が離れたい場合、前記駐車場ロックがまず下降し、車両を離れさせた後に決済を行うことを特徴とする請求項１に記載の駐車場支払いシステム。
【考案の詳細な説明】
【技術分野】
【０００１】
本考案は、駐車場支払いシステムに関し、より詳しくは、クラウド決済機能を有する駐車場支払いシステムに関する。
【背景技術】
【０００２】
図７に示されるように、現在多くの駐車場１'の駐車スペース１０'では駐車場ロック１１'を配置しており、駐車場ロックコントローラー３０'により前記駐車場ロック１１'を異なる状態に変化するように制御し、前記駐車スペース１０'を駐車状態または駐車可能状態にしている。前記駐車場ロック１１'は前記駐車場ロックコントローラー３０'を介して駐車場１'の支払機２０'に接続している。運転者５'が支払機２０'で決済動作を行い、前記駐車場ロック１１'が車両が前記駐車スペース１０'に進入するか否かを検出し、前記支払機２０'はその明細書に前記駐車スペース１０'の車両が離れたか否かを記録している。
【考案の概要】
【考案が解決しようとする課題】
【０００３】
従来の旧式の支払機内部の主制御回路基板はその演算能力が不足しており、或いはネットワーク接続機能を欠いており、現在駐車場の支払機メーカーは商業目的のため、支払機のメッセージを外部に配信していなかった。このため、駐車スペースに駐車する運転者は支払機のある場所まで行ってそこ（現場）で決済を行わねばならず、クラウド決済や他の決済場所での決済を行うことができない。このような方式は運転者にとって面倒であった。
【０００４】
そこで、本考案者は上記の欠点が改善可能と考え、鋭意検討を重ねた結果、合理的設計で上記の課題を効果的に改善する本考案の提案に至った。
【０００５】
本考案はこうした状況に鑑みてなされたものであり、その目的は、クラウド決済機能を有する駐車場支払いシステムを提供することにある。
【課題を解決するための手段】
【０００６】
上記課題を解決するために、本考案の一態様のクラウド決済機能を有する駐車場支払いシステムは、運転者が少なくとも１つの駐車スペースを有する駐車場に対し予約及び決済を行い、各前記駐車スペースに駐車場ロックを配置し、車両が前記駐車場の駐車スペースに進入すると、前記駐車スペースの駐車場ロックが異なる状態に変化し、前記駐車スペースを駐車状態または駐車可能状態にし、前記運転者の決済はクラウド決済または前記駐車場の支払機を利用した決済である。前記駐車場支払いシステムは、少なくとも１つのロックコントローラーと、クラウドデバイスと、メインボードとを備える。
少なくとも１つの駐車場ロックコントローラーは、対応する前記駐車場ロックに各々接続し、前記駐車場ロックからの信号を受信し、車両が対応する前記駐車スペースに駐車しているか、或いは前記駐車スペースから離れたかを確定するために必要な判断を行う。
クラウドデバイスは、クラウド決済及び運転者が駐車スペースに対して電子情報デバイスを用いて伝送する予約メッセージを処理し、且つクラウド決済メッセージを外部に向けて伝送し、前記駐車場の駐車スペースの空き状態を運転者の電子情報デバイスに伝送し、運転者が空き駐車スペースに対して予約を行えるようにし、前記運転者の電子情報デバイスからの決済動作を受信し、且つ各決済を記録してクラウド領収書を形成し、前記クラウド領収書には支払機決済が完了した車両を記録する。
メインボードは、少なくとも１つの前記駐車場ロックコントローラーに接続し、且つ前記クラウドデバイスに信号を伝送し、クラウドデバイスが伝送したクラウド決済メッセージを受信し、駐車場ロックコントローラーからの信号を受信し、車両が駐車スペースに駐車しているか駐車スペースから離れたかを理解する。
【考案の効果】
【０００７】
本考案の駐車場支払いシステムは、旧来の駐車場支払いシステムに現場支払い方式ではないクラウド決済による支払い方式を提供して使用可能にする。運転者は携帯電話、支払いカード、または他の現場支払い方式以外の支払い方式により、従来の駐車場の支払機に遠隔から支払い可能になる。本考案を応用したシステムは従来の支払機と互換性があるため、本考案のネットワークシステムを応用して、運転者が各種の異なる支払い方式で決済を実行することが可能になる。また、外部メーカー設備はクラウドに接続することで別個の駐車場を統合し、且つこの統合的システムを応用することで、様々な商業モードを実行可能となる。よって従来の使用上または営業上制限のある駐車場経営方式を脱却し、非常に使いやすい経営方式に変更することができる。
【０００８】
本明細書及び図面の記載により、少なくとも以下の事項が明らかとなる。
【図面の簡単な説明】
【０００９】
【図１】本考案の第一実施形態による装置の組み合わせを示す概略図である。
【図２】本考案の第一実施形態による装置の構成を示すブロック図である。
【図３】本考案の第一実施形態による支払機の請求書を示す概略図である。
【図４】本考案の第一実施形態による支払機の別の請求書を示す概略図である。
【図５】本考案の第二実施形態による装置の組み合わせを示す概略図である。
【図６】本考案の第三実施形態による支払機の請求書を示す概略図である。
【図７】従来の駐車場と支払機の構成を示す概略図である。
【考案を実施するための形態】
【００１０】
以下、本考案の実施形態について、図面を参照して詳細に説明する。なお、本考案は以下の例に限定されるものではなく、本考案の要旨を逸脱しない範囲で、任意に変更可能であることは言うまでもない。
【００１１】
（第一実施形態）
次に、図１〜６を参照しながら、本考案をさらに詳しく説明する。本考案の駐車場支払いシステムはクラウド決済機能を有し、運転者５が少なくとも１つの駐車スペース１０を有している駐車場１に対し予約及び決済を行えるようになる。各前記駐車スペース１０には駐車場ロック１１を配置し、車両が前記駐車場１の駐車スペース１０に進入すると、前記駐車スペース１０の駐車場ロック１１が異なる状態に変化し、前記駐車スペース１０が駐車状態または駐車可能状態になる。前記駐車場ロック１１は事前予約型駐車スペースの駐車場ロックであり、前記駐車スペース１０が予約された場合、前記駐車場ロック１１が予約者以外は進入できないように上昇して駐車スペース１０を確保する。前記駐車場ロック１１は後払い式駐車スペースの駐車場ロックであってもよく、前記駐車スペース１０に駐車した車両が離れたい場合、前記駐車場ロック１１がまず下降し、車両が離れた後に決済を行う。前記運転者５の決済は、クラウド決済または前記駐車場１の支払機２０である。本考案の駐車場支払いシステムは、下記部材で構成されている。
【００１２】
＜少なくとも１つの駐車場ロックコントローラー３０＞
各前記駐車場ロックコントローラー３０は対応する前記駐車場ロック１１に接続し、前記駐車場ロック１１からの信号を受信し、車両が対応する前記駐車スペース１０に駐車しているか、または前記駐車スペース１０から離れたかを確定するために用いている。前記駐車場ロックコントローラー３０は前記駐車場ロック１１の信号を外に向けて伝送し、必要な判断を下す。
【００１３】
＜クラウドデバイス４０＞
クラウドデバイス４０は、クラウド決済及び運転者５の駐車スペースに対する予約メッセージを処理し、決済メッセージを外に向けて伝送するために用いられている。前記クラウドデバイス４０は前記駐車場１の駐車スペース空き状態を運転者５の電子情報デバイス６に伝送し、運転者５が空き駐車スペースの予約を行えるようにする。図１と図２に示されるように、前記クラウドデバイス４０は前記運転者５の電子情報デバイス６からの決済動作を受信し、且つ各決済を記録してクラウド領収書４１を形成し、前記クラウド領収書４１には支払機決済を完了した車両を記録する。前記クラウドデバイス４０は、駐車時間、支払うべき駐車費用等の前記車両の駐車メッセージを遠隔の運転者の電子情報デバイス６に伝送し、運転者が駐車状況を照会し、決済を行えるようにする。
【００１４】
＜メインボード５０＞
メインボード５０は、少なくとも１つの前記駐車場ロックコントローラー３０に接続し、前記クラウドデバイス４０に信号を伝送し、前記クラウドデバイス４０から伝送されたクラウド決済メッセージを受信する。前記メインボード５０は前記車両が前記駐車スペース１０に駐車している時間及び前記駐車スペース１０から離れた時間をさらに記録する。前記メインボード５０は前記駐車場ロックコントローラー３０からの信号を受信し、前記車両が前記駐車スペース１０に駐車しているか、または前記駐車スペース１０から離れたかを認識する。
【００１５】
本考案の応用例において、前記メインボード５０は前記支払機２０にさらに接続し（例えば、ＲＳ４８５プロトコルを応用する）、車両が前記駐車スペース１０から離れたか否かのメッセージを伝送する。前記支払機２０が前記メインボード５０から伝送される車両が支払機決済を完了して離れたというメッセージを受信し、前記メインボード５０が前記クラウドデバイス４０からの前記駐車スペース１０のクラウド決済メッセージを受信すると、対応する前記駐車場ロックコントローラー３０に通知し、対応する前記駐車場ロック１１を下降させて車両が前記駐車スペース１０から離れられる状態にする。車両が前記駐車スペース１０から離れた後、前記駐車場ロックコントローラー３０が前記車両が離れたという信号を前記メインボード５０に伝送し、前記メインボード５０が前記支払機２０に通知し、車両が支払機決済を完了して離れたことを告知し、且つ前記メインボード５０も前記駐車場ロックコントローラー３０に通知し、前記駐車場ロック１１を車両の駐車を受け付ける状態にする。
【００１６】
前記支払機２０が前記メインボード５０から車両が支払機決済を完了して離れたことを受信すると、前記支払機２０が車両が支払機決済を完了して離れたというメッセージを支払機の請求書２１に記録し、前記支払機の請求書２１に現場支払いメッセージ２１１を形成する（図３参照）。
【００１７】
車両が支払機決済をせずに前記駐車スペース１０から自ら離れると、前記クラウドデバイス４０及び前記メインボード５０はいかなる作業も行わない。この際、前記駐車場ロックコントローラー３０は前記支払機２０に信号を伝送し（この信号は前記メインボード５０を直接通過するか前記メインボード５０を迂回する）、前記支払機２０が支払機決済をせずに車両が離れたというメッセージをその支払機の請求書２１に記録する。前記車両が支払機決済をしていないため、前記支払機の請求書２１に未払いメッセージ２１２を形成する。また、前記支払機２０が前記駐車場ロックコントローラー３０に信号を伝送し（この信号は前記メインボード５０を直接通過するか前記メインボード５０を迂回する）、前記駐車場ロック１１を他の車両の駐車を受け付ける状態にする。図中には前記メインボード５０を通過する回路のみを図示している。前記メインボード５０を通過せずに直接配線される態様も本考案の範囲内に含まれる。
【００１８】
よって、前記支払機の請求書２１はクラウド決済を完了した１つまたは複数の現場支払いメッセージ２１１、及び１つまたは複数の未払いメッセージ２１２を同時に含む。
【００１９】
前記クラウド領収書４１及び前記支払機の請求書２１に、支払機決済を完了した車両が前記クラウド領収書４１及び前記支払機の請求書２１の記録に出現する。支払機決済をせずに前記駐車スペース１０から自ら離れた車両は、前記支払機の請求書２１の記録にのみ出現する。よって、駐車場管理者は前記クラウド領収書４１及び前記支払機の請求書２１の記録を比較することで、全ての支払い状況を確認することができる。
【００２０】
前記支払機２０が前記メインボード５０から伝送される車両が離れたというメッセージのみを受信可能であり、前記車両が支払機決済を完了して離れたかどうか知ることができないため、前記メインボード５０は前記支払機２０に通知し、車両が離れたことを告知すると、前記支払機２０が車両が離れたというメッセージを支払機の請求書２１に記録し、且つ前記支払機の請求書２１に未払いメッセージ２１３を形成する。車両が支払機決済をせずに前記駐車スペース１０から自ら離れた場合、前記クラウドデバイス４０及び前記メインボード５０はいかなる作業も行わない。この際、前記駐車場ロックコントローラー３０が前記支払機２０に信号を伝送し（この信号は前記メインボード５０を直接通過するか前記メインボード５０を迂回する）、前記支払機２０が車両が離れたというメッセージをその支払機の請求書２１に記録し、且つ前記支払機の請求書２１に未払いメッセージ２１２を形成する。図４に示されるように、前記支払機の請求書２１は車両が支払機決済をせずに前記駐車スペース１０から自ら離れたという未払いメッセージ２１２、及びクラウド決済を完了したという未払いメッセージ２１３を同時に含む。よって、駐車場管理者は前記クラウド領収書４１及び前記支払機の請求書２１の記録を比較し、クラウド決済を完了したという未払いメッセージ２１３を抽出して削除するフィルタリング作業を行い、実際の支払い状況を認識する。
【００２１】
（第二、第三実施形態）
また、図５と図６に示されるように、本考案の他の応用例では、本考案の前記メインボード５０は前記支払機２０に接続しなくともよい。前記メインボード５０が対応する前記駐車場ロックコントローラー３０に通知し（一般的には、ドライ接点の信号）、対応する前記駐車場ロック１１を下降させて車両が前記駐車スペース１０から離れられる状態にすると、前記支払機２０が前記駐車場ロックコントローラー３０により前記駐車場ロック１１の状態の変化を認識し、この際、前記支払機２０が信号を伝送して前記駐車場ロック１１を上昇させて車両が前記駐車スペース１０から離れられない状態に回復する。前記メインボード５０が対応する前記駐車場ロックコントローラー３０に持続的に通知し（例えば、１秒間隔等の方式で毎回１秒）、対応する前記駐車場ロック１１を下降させて車両が前記駐車スペース１０から離れられる状態にし、これにより前記支払機２０の制御命令を代替する（一般的には、駐車場ロックが上昇するのにかかる時間は約５秒）。一般的な支払機の場合、前記駐車場ロック１１が自動的に重複して上昇することはないため、前記支払機２０がこの状況を異常と判断して記録し、駐車場管理者に通報する。同様に、前記支払機２０が前記駐車場ロックコントローラー３０の信号により車両が離れたことのみを通知されると、支払機の請求書２１に車両が支払機決済で前記駐車スペース１０から自ら離れたという未払いメッセージ２１２、及びクラウド決済を完了したという未払いメッセージ２１３を形成する。これにより、駐車場管理者は前記クラウド領収書４１及び前記支払機の請求書２１の記録を比較することで、クラウド決済を完了したという未払いメッセージ２１３を抽出して削除するフィルタリング作業を行う。
【００２２】
さらに、本考案は前記クラウドデバイス４０に接続する少なくとも１つの外部メーカー設備６０をさらに備え、外部メーカーは前記外部メーカー設備６０により前記クラウドデバイス４０に接続する。前記外部メーカーは駐車場経営業者以外の他の関連メーカーでもよい。前記外部メーカーは前記外部メーカー設備６０により駐車作業に関連する各種作業を行える。例えば、プロモーションを行う場合、駐車費用の割引を行うことができる。
【００２３】
本考案の前記クラウドデバイス４０は駐車場管理設備７０にさらに接続し、管理者が前記クラウドデバイス４０に対する監視を行えるようにする。よって、前記管理者は前記駐車場管理設備７０により前記クラウドデバイス４０及び前記支払機２０の前記クラウド領収書４１及び前記支払機の請求書２１を同時にダウンロードし、収支の照会作業を行う。
【００２４】
上述した実施形態は、本考案が属する技術分野における通常の知識を有する者が本考案を実施できることを目的として記載されたものである。上記実施形態の種々の変形例は、当業者であれば当然になしうることであり、本考案の技術的思想は他の実施形態にも適用しうる。したがって、本考案は、記載された実施形態に限定されることはなく、実用新案登録請求の範囲によって定義される技術的思想に従った最も広い範囲に解釈されるものである。
【符号の説明】
【００２５】
１、１’  駐車場
１０、１０’  駐車スペース
１１、１１’  駐車場ロック
２０、２０’  支払機、２１  支払機の請求書、
２１１  現場支払いメッセージ、２１２  未払いメッセージ
３０、３０’  駐車場ロックコントローラー
４０  クラウドデバイス、４１  クラウド領収書
５、５’  運転者、５０  メインボード
６  電子情報デバイス、６０  メーカー設備、
７０  駐車場管理設備
【図１】
0003231081.tif 000003
【図２】
0003231081.tif 000004
【図３】
0003231081.tif 000005
【図４】
0003231081.tif 000006
【図５】
0003231081.tif 000007
【図６】
0003231081.tif 000008
【図７】
0003231081.tif 000009